【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
発振回路と、
前記発振回路から出力された発振信号のレベル変換を行うバッファー回路と、
前記バッファー回路の出力電圧レベルを検出するレベル検出回路と、
前記レベル検出回路から出力された電圧を増幅する増幅回路と、
前記増幅回路から出力された電圧に基づき前記バッファー回路の電源端子に流れる電流を制御して前記バッファー回路の出力レベルを調整するレベル調整回路と、を備えことを特徴とする発振器。
【請求項２】
前記増幅回路は、レベル設定電圧に応じて抵抗値が変化する可変抵抗器と、第１のトランジスタとを含み、前記第１のトランジスタのドレイン端子が前記可変抵抗器の一端に接続され、前記第１のトランジスタのソース端子が接地され、前記レベル検出回路から出力された電圧が前記第１のトランジスタのゲート端子に入力され、基準電圧が前記可変抵抗器の他端に入力され、前記第１のトランジスタのドレイン端子から出力された電圧が前記増幅回路から出力された電圧として前記レベル調整回路に入力される構成を備えたことを特徴とする請求項１に記載の発振器。
【請求項３】
前記増幅回路は、第１の演算増幅器を含み、レベル設定電圧が前記第１の演算増幅器の一方の入力端子に入力され、前記レベル検出回路から出力された電圧が前記第１の演算増幅器の他方の入力端子に入力され、前記第１の演算増幅器から出力された電圧が前記増幅回路から出力された電圧として前記レベル調整回路に入力される構成を備えたことを特徴とする請求項１に記載の発振器。
【請求項４】
前記レベル調整回路は、第２の演算増幅器と、第２のトランジスタとを含み、前記増幅回路から出力された電圧が前記第２の演算増幅器の入力端子に入力され、前記第２のトランジスタのドレイン端子に電源電圧が入力され、前記第２の演算増幅器から出力された電圧が前記第２のトランジスタのゲート端子に入力され、前記第２のトランジスタのソース端子から出力された電圧が前記バッファー回路の電源端子に入力される構成を備えたことを特徴とする請求項２または３のいずれかに記載の発振器。
【請求項５】
前記レベル調整回路は、第２の演算増幅器と、第２のトランジスタと、カレントミラー回路とを含み、前記増幅回路から出力された電圧が前記第２の演算増幅器の入力端子に入力され、前記第２の演算増幅器から出力された電圧が前記第２のトランジスタのゲート端子に入力され、前記第２のトランジスタのドレイン端子が前記カレントミラー回路の入力端子に接続され、前記第２のトランジスタのソース端子が抵抗器を介して接地され、前記カレントミラー回路の出力端子が前記バッファー回路の電源端子に接続された構成を備えたことを特徴とする請求項２または３のいずれかに記載の発振器。
【請求項６】
前記レベル調整回路は、第２の演算増幅器と、第２のトランジスタとを含み、前記増幅回路から出力された電圧が前記第２の演算増幅器の入力端子に入力され、前記第２の演算増幅器から出力された電圧が前記第２のトランジスタのゲート端子に入力され、前記第２のトランジスタのソース端子が接地され、前記第２のトランジスタのドレイン端子が前記バッファー回路の接地端子に接続された構成を備えたことを特徴とする請求項２または３のいずれかに記載の発振器。
【手続補正２】
【補正対象書類名】明細書
【補正対象項目名】０００６
【補正方法】変更
【補正の内容】
【０００６】
［形態１］発振回路と、前記発振回路から出力された発振信号のレベル変換を行うバッファー回路と、前記バッファー回路の出力電圧レベルを検出するレベル検出回路と、前記レベル検出回路から出力された電圧を増幅する増幅回路と、前記増幅回路から出力された電圧に基づき前記バッファー回路の電源端子に流れる電流を制御して前記バッファー回路の出力レベルを調整するレベル調整回路と、を備えことを特徴とする。
発振回路の出力信号を負荷に接続するためには、インピーダンス変換するためのバッファー回路が必要となる。また、発振周波数により出力レベルが変動するため、それを安定化するための機能も必要となる。そこで本発明では、出力レベルを検出してフィードバックして、最終段のバッファー回路の電圧、又は電流レベルを一定にするレベル調整回路を設ける。これにより、発振周波数、又は負荷変動による出力レベルを安定化することができる。
［形態２］前記増幅回路は、レベル設定電圧に応じて抵抗値が変化する可変抵抗器と、第１のトランジスタとを含み、前記第１のトランジスタのドレイン端子が前記可変抵抗器の一端に接続され、前記第１のトランジスタのソース端子が接地され、前記レベル検出回路から出力された電圧が前記第１のトランジスタのゲート端子に入力され、基準電圧が前記可変抵抗器の他端に入力され、前記第１のトランジスタのドレイン端子から出力された電圧が前記増幅回路から出力された電圧として前記レベル調整回路に入力される構成を備えたことを特徴とする。
レベル調整回路にフィードバック信号を入力するためには、その信号を増幅する必要がある。そこで本発明では、増幅回路として、レベル設定電圧に応じて抵抗値が変化する可変抵抗器と、第１のトランジスタとを含み、前記第１のトランジスタのドレイン端子が前記可変抵抗器の一端に接続され、前記第１のトランジスタのソース端子が接地され、前記レベル検出回路から出力された電圧が前記第１のトランジスタのゲート端子に入力され、基準電圧が前記可変抵抗器の他端に入力され、前記第１のトランジスタのドレイン端子から出力された電圧が前記増幅回路から出力された電圧として前記レベル調整回路に入力される構成を備える。これにより、バッファー回路を制御することができる。
［形態３］前記増幅回路は、第１の演算増幅器を含み、レベル設定電圧が前記第１の演算増幅器の一方の入力端子に入力され、前記レベル検出回路から出力された電圧が前記第１の演算増幅器の他方の入力端子に入力され、前記第１の演算増幅器から出力された電圧が前記増幅回路から出力された電圧として前記レベル調整回路に入力される構成を備えたことを特徴とする。
本発明は、増幅回路を他の方法で構成したものである。即ち、レベル検出回路の電圧を第１の演算増幅器の一方の入力端子に入力し、バッファー回路の出力電圧が高くなると、増幅回路の電圧が低くなるように制御する。これにより、レベル設定電圧に応じた信号を容易に出力することができる。
［形態４］前記レベル調整回路は、第２の演算増幅器と、第２のトランジスタとを含み、前記増幅回路から出力された電圧が前記第２の演算増幅器の入力端子に入力され、前記第２のトランジスタのドレイン端子に電源電圧が入力され、前記第２の演算増幅器から出力された電圧が前記第２のトランジスタのゲート端子に入力され、前記第２のトランジスタのソース端子から出力された電圧が前記バッファー回路の電源端子に入力される構成を備えたことを特徴とする。
本発明のレベル調整回路は、バッファー回路の電源に流す電流を制御するものである。即ち、第２の演算増幅器と、第２のトランジスタとを含み、前記増幅回路から出力された電圧が前記第２の演算増幅器の入力端子に入力され、前記第２のトランジスタのドレイン端子に電源電圧が入力され、前記演算増幅器から出力された電圧が前記第２のトランジスタのゲート端子に入力され、前記第２のトランジスタのソース端子から出力された電圧が前記バッファー回路の電源端子に入力される構成を備えたものである。これにより、バッファー回路に出力される電圧に基づいて、バッファー回路の電源電流をフィードバック制御することができる。
［形態５］前記レベル調整回路は、第２の演算増幅器と、第２のトランジスタと、カレントミラー回路とを含み、前記増幅回路から出力された電圧が前記第２の演算増幅器の入力端子に入力され、前記第２の演算増幅器から出力された電圧が前記第２のトランジスタのゲート端子に入力され、前記第２のトランジスタのドレイン端子が前記カレントミラー回路の入力端子に接続され、前記第２のトランジスタのソース端子が抵抗器を介して接地され、前記カレントミラー回路の出力端子が前記バッファー回路の電源端子に接続された構成を備えたことを特徴とする。
本発明のレベル調整回路は、最終段のバッファー回路の電源に流す電流を制御するものである。即ち、第２の演算増幅器、第２のトランジスタ、及びカレントミラー回路により構成し、第２の演算増幅器と第２のトランジスタにより入力電流を生成し、その入力電流と同一となる出力電流を生成しバッファー回路の電源電流とするものである。これにより、バッファー回路に出力される電圧に基づいて、バッファー回路の電源電流をフィードバック制御することができる。
［形態６］前記レベル調整回路は、第２の演算増幅器と、第２のトランジスタとを含み、前記増幅回路から出力された電圧が前記第２の演算増幅器の入力端子に入力され、前記第２の演算増幅器から出力された電圧が前記第２のトランジスタのゲート端子に入力され、前記第２のトランジスタのソース端子が接地され、前記第２のトランジスタのドレイン端子が前記バッファー回路の接地端子に接続された構成を備えたことを特徴とする。
本発明のレベル調整回路は、バッファー回路の接地端子に第２のトランジスタのドレイン端子を接続してソース端子を接地する。これにより、バッファー回路に流れる電源電流を、第２のトランジスタのゲート電圧に応じて制御することができる。
［適用例１］発振回路と、該発振回路の発振信号を増幅するバッファー回路と、該バッファー回路の出力電圧レベルを検出するレベル検出回路と、前記レベル検出回路の出力電圧を増幅する増幅回路と、該増幅回路の出力電圧に基づき前記バッファー回路の電源端子に流れる電流を制御して前記バッファー回路の出力レベルを調整するレベル調整回路と、を備えことを特徴とする。